(57)【要約】【課題】化粧パネルの仮止め、取り付け、取り外しの容易な空気調和機を提供する。【解決手段】室内熱交換器（図示せず）、室内送風機１１、前記室内熱交換器からの凝縮水を受けるドレンパン（図示せず）を内蔵するとともにケーシングを形成する側板５を有する本体１と、中央に吸込み空間を形成する開口部２ａを有すると共に前記本体１の下面に取り付けられる化粧パネル２とを具備し、前記本体１に前記化粧パネル２を仮止めするためのフック６を前記化粧パネル２に、前記フック６が係止する取付具７を前記本体１にそれぞれ設け、前記開口部２ａに内接するリブ３ａを前記本体１に設けたもので、化粧パネル２を本体１に仮止めする時、リブ３ａが化粧パネル２に設けた開口部２ａをガイドとして取り付けられるのでフック６と取付具７の位置決めが容易に出来る。【選択図】図１ 
2006017342.tif 000002
【特許請求の範囲】
【請求項１】
室内熱交換器、室内送風機、前記室内熱交換器からの凝縮水を受けるドレンパンを内蔵するとともにケーシングを形成する側板を有する本体と、中央に吸込み空間を形成する開口部を有すると共に前記本体の下面に取り付けられる化粧パネルとを具備し、前記本体に前記化粧パネルを仮止めするための係止部を前記化粧パネルに、前記係止部が係止する被係止部を前記本体にそれぞれ設け、前記開口部に内接するリブを前記本体に設けたことを特徴とする空気調和機。
【請求項２】
開口部及び、それに内接するリブのそれぞれを矩形状に形成したことを特徴とする請求項１に記載の空気調和機。
【請求項３】
開口部の４箇所のコーナー部あるいは対角の２箇所のコーナー部に内接するリブを本体に設けたことを特徴とする請求項１に記載の空気調和機。
【請求項４】
ドレンパンと側板とを固定するための平板を本体に設け、前記平板に凸形状部を形成し、この凸形状部に対向する位置の化粧パネルに前記凸形状部に外接する切り欠きを設けたことを特徴とする請求項１の空気調和機。
【請求項５】
係止部を化粧パネルにスライド自在に取り付けると共に、前記係止部を被係止部に係止する方向に付勢する付勢体を設けたことを特徴とする請求項１〜４のいずれか１項に記載の空気調和機。
【発明の詳細な説明】
【技術分野】
【０００１】
本発明は、空気調和機に関するもので、特に下面に化粧パネルが固定される天井取り付け型の空気調和機に関するものである。
【背景技術】
【０００２】
従来のこの種の空気調和機について、図７を用いて説明する。
【０００３】
図７において、空気調和機の本体１は、オリフィス３、室内送風機１１等を備え、吊りボルト９で天井に固定される。中央に開口部２ａを有する化粧パネル２は重量も有り、高所作業であるため、作業者一人で化粧パネル２を本体１に取りつけることは困難である。そこで化粧パネル２に設けたフック６を、本体２に設けた取付具７に引掛け、化粧パネル２を本体１に一旦仮止めする。次に、化粧パネル２に設けた取り付け孔２ｃにネジ１２を通し、本体１に設けた平板１０に取り付ける。８は、化粧パネル２の開口部２ａに嵌合される吸入グリルである（例えば、特許文献１参照）。
【特許文献１】特開平０９−１９６４０４号公報
【発明の開示】
【発明が解決しようとする課題】
【０００４】
しかしながら、上記従来の空気調和機の構成では、化粧パネル２のフック６を本体１の取付具７に引掛けて、本体１に化粧パネル２を仮止めする際、化粧パネル２が重く、高所作業であるため、フック６と取付具７の位置を合わせるのが困難であった。また。メンテナンスの為に、化粧パネル２を外す時、フック６が取付具７にしっかりと掛かっているため、取り外しに時間がかかり、作業も極めて困難であった。
【０００５】
本発明は、上記従来の課題を解決するもので、化粧パネルの位置決め、仮り止めが容易で、しかも取り外しの容易な空気調和機を提供することを目的とする。
【課題を解決するための手段】
【０００６】
上記従来の課題を解決するために、本発明の空気調和機は、室内熱交換器、室内送風機、前記室内熱交換器からの凝縮水を受けるドレンパンを内蔵するとともにケーシングを形成する側板を有する本体と、中央に吸込み空間を形成する開口部を有すると共に前記本体の下面に取り付けられる化粧パネルとを具備し、前記本体に前記化粧パネルを仮止めするための係止部を前記化粧パネルに、前記係止部が係止する被係止部を前記本体にそれぞれ設け、前記開口部に内接するリブを前記本体に設けたもので、化粧パネルを本体に仮止めする時、リブがパネルに設けた開口部をガイドとして取り付けられるので係止部と被係止部の位置決めが容易に出来る。
【発明の効果】
【０００７】
本発明の空気調和機は、化粧パネルを本体に仮止めする時、本体に対して化粧パネルを容易に位置決め出来るので、簡単に仮止めすることが出来、また、取り外しも極めて容易である。
【発明を実施するための最良の形態】
【０００８】
第１の発明は、室内熱交換器、室内送風機、前記室内熱交換器からの凝縮水を受けるドレンパンを内蔵するとともにケーシングを形成する側板を有する本体と、中央に吸込み空間を形成する開口部を有すると共に前記本体の下面に取り付けられる化粧パネルとを具備し、前記本体に前記化粧パネルを仮止めするための係止部を前記化粧パネルに、前記係止
部が係止する被係止部を前記本体にそれぞれ設け、前記開口部に内接するリブを前記本体に設けたもので、化粧パネルを本体に仮止めする時、リブがパネルに設けた開口部をガイドとして取り付けられるので係止部と被係止部の位置決めが容易に出来る。
【０００９】
第２の発明は、特に、第１の発明の開口部及び、それに内接するリブのそれぞれを矩形状に形成したもので、化粧パネル側の係止部と本体側被係止部の位置決めがより確実にしかも容易に出来る。
【００１０】
第３の発明は、特に、第１の発明の開口部の４箇所のコーナー部あるいは対角の２箇所のコーナー部に内接するリブを本体に設けたもので、リブの設置場所がコーナー部のみとなり、電装品等の収納物を収納するスペースを広く確保することが出来る。
【００１１】
第４の発明は、特に、第１の発明のドレンパンと側板とを固定するための平板を本体に設け、前記平板に凸形状部を形成し、この凸形状部に対向する位置の化粧パネルに前記凸形状部に外接する切り欠きを設けたもので、化粧パネルを本体に仮止めする時、平板の凸形状部が化粧パネルに設けた切り欠きをガイドとして取り付けられ、化粧パネル側の係止部と本体側被係止部の位置決めが容易に出来る。
【００１２】
第５の発明は、特に、第１〜４のいずれか１つの発明の係止部を化粧パネルにスライド自在に取り付けると共に、前記係止部を被係止部に係止する方向に付勢する付勢体を設けたもので、メンテナンス等の為に化粧パネルを取り外す時、係止部を付勢体の付勢力に抗してスライドさせるだけで、係止部と被係止部の係止状態が簡単に解除されるので、化粧パネルを本体から容易に取り外す事ができる。また、通常は係止部が係止する方向に付勢体で付勢されているので、振動などで化粧パネルが本体から勝手に外れたりする事も無い。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の分解斜視図で、図２は同空気調和機の断面図である。なお、従来例と同一部分については、同一符号を付してその説明を省略する。
【００１５】
空気調和機は、室内熱交換器１４、室内送風機１１、ドレンパン４、オリフィス３等で構成された本体１を天井に吊りボルト９にて固定した後、化粧パネル２がネジ１２にて取り付け孔２ｃを介して本体１の平板１０に取り付けられる。平板１０は、ドレンパン４と本体１のケーシングを形成する側板５とを固定する役目も果たしている。
【００１６】
化粧パネル２は重量も有り、高所作業であるため４箇所のネジ１２を作業者一人で取りつけることは困難である。このため、ネジ１２を締付ける前に、化粧パネル２に設けられ係止部となるフック６を、本体２に設けられ被係止部となる取付具７に引掛け仮止めできる構造となっている。これにより作業者は一人で化粧パネル２を本体１に仮止め後、ネジ１２を固定することが出来る。
【００１７】
本実施の形態では、本体１に収納されているオリフィス３の側壁の部分をドレンパン４より下方に突出させて矩形状のリブ３ａを形成し、そのリブ３ａが化粧パネル２の矩形状で吸い込み用の開口部２ａの内側に内接する寸法になっている。
【００１８】
また、リブ３ａのドレンパン４よりの突出寸法は、本体１と化粧パネル２の間の気密性
を確保するために配設したシール材１６の厚みと同程度か若干大きめが効果的である。これにより、作業者は仮止め用のフック６を取付具７に引掛ける時、フック６を取付具７に狙いをつけ無くても、化粧パネル２をオリフィス３のリブ３ａをガイドにして上方に持ち上げるだけで、フック６を取付具７に引掛けることが出来る。
【００１９】
尚、化粧パネル２の開口部２ａの淵に立つリブ２ｂの本体１側にはＣ面２ｇを形成し、よりオリフィス３のリブ３ａが嵌合し易いようにしている。
【００２０】
（実施の形態２）
図３は、本発明の第２の実施の形態における空気調和機の分解斜視図である。なお、上記第１の実施の形態と同一部分については、同一符号を付してその説明を省略する。
【００２１】
上記第１の実施の形態では、リブ３ａを矩形状に設けたが、本実施の形態は、コーナー部のみにリブ３ａを設け、コーナー部以外のリブを形成する必要が無い部分に電装品１５等を収納するスペースを確保するものである。なお、他の構成は、第１の実施の形態と同一である。
【００２２】
上記構成により、第１の実施の形態と同じ効果が得られると同時に、コーナー部以外のリブを形成する必要が無い部分に電装品１５等を収納するスペースを確保することができ、本体１を小型にすることができる。
【００２３】
なお、リブ３ａは４箇所のコーナー全てに設ける必要は無く、対角に２箇所あるだけでもほぼ同等の効果が得られるものである。
【００２４】
（実施の形態３）
図４は、本発明の第３の実施の形態における空気調和機の分解斜視図で、図５は、同空気調和機の平板の先端部の拡大斜視図である。なお、上記実施の形態と同一部分については、同一符号を付してその説明を省略する。
【００２５】
本実施の形態では、本体１に収納されているドレンパン４に平板１０をインサート成形で形成し、その平板１０の端部に凸形状部１０ａを設け、この凸形状部１０ａに対向する位置の化粧パネル２に、凸形状部１０ａに外接する切り欠き２ｄを設けたものである。
【００２６】
これにより、第１の実施の形態と同じ効果が得られると同時に、平板１０に凸形状部１０ａを形成したことにより、図５に示すように凸形状に膨らんだ角部にアール形状１０ｂをつけることが容易に出来るため、平板１０に設けた凸形状部１０ａと化粧パネル２の切り欠き２ｄの位置合わせをよりスムースに行う事が出来る。
【００２７】
（実施の形態４）
図６は、本発明の第４の実施の形態における空気調和機のフック部の斜視図である。
【００２８】
本実施の形態は、化粧パネル２にフック６をスライド自在に取りつけたものである。より具体的には、フック６は、ネジ１３とワッシャー１７によって取り付けボス２ｆに取り付けられ、化粧パネル２に設けたリブ２ｅをガイドに自在にスライドできるようになっている。また、フック６が化粧パネル２と接触する部分には可撓性に富んだリブ６ａが一体に形成され、常時フック６と取付具７が嵌合する方向に、リブ６ａのスプリング効果が働くようになっている。即ち、リブ６ａは、フック６を取付具７と嵌合する方向に付勢する付勢体の機能を有している。
【００２９】
これにより、化粧パネル２を本体１に取り付ける時には、フック６がスライドし取付具
７と噛み合い、メンテナンスで化粧パネル２を取り外す時には、フック６のリブ６ａの壁部６ｂを、外方に押すことにより取付具７とフック６の噛み合わせ簡単に外すことが出来る。この例では、フック６に一体成形したリブ６ａを付勢体としたが、別のバネ部材を付勢体とし、それをフック６と化粧パネル２の間に介在させても良い。
【産業上の利用可能性】
【００３０】
本発明の空気調和機は、簡単な構成で、化粧パネルの本体への仮止め、取り付け、取り外しが極めて容易なので、メンテナンス時に取り外す必要がある部品を備え、天井に取り付けられる空気清浄機、換気装置等にも広く適用できる。
【図面の簡単な説明】
【００３１】
【図１】本発明の実施の形態１における空気調和機の分解斜視図
【図２】同空気調和機の断面図
【図３】本発明の実施の形態２における空気調和機の分解斜視図
【図４】本発明の実施の形態３における空気調和機の分解斜視図
【図５】同空気調和機の平板の先端部の拡大斜視図
【図６】本発明の実施の形態４における空気調和機のフックの取り付け部分の斜視図
【図７】従来の空気調和機の分解斜視図
【符号の説明】
【００３２】
１    本体
２    化粧パネル
２ａ  開口部
２ｄ  切り欠き
３    オリフィス
３ａ  リブ
４    ドレンパン
５    側板
６    フック（係止部）
７    取付具（被係止部）
１０    平板
１１    室内送風機
１４    熱交換器
【図１】
2006017342.tif 000003
【図２】
2006017342.tif 000004
【図３】
2006017342.tif 000005
【図４】
2006017342.tif 000006
【図５】
2006017342.tif 000007
【図６】
2006017342.tif 000008
【図７】
2006017342.tif 000009